(57)【要約】【課題】厚さ方向に重ね合わされた複数のフレキシブル基板の先端を容易に貫通孔を通過させて表示パネル用電子回路基板に接続できるようにする。【解決手段】表示パネル２の各構成部材（タッチパネル１２、背面側スイッチガラス１４、アレイガラス基板１６、バックライトユニット１７）からそれぞれ延びる複数のフレキシブル基板２０，２１，２２，２３を少なくとも１つの他のフレキシブル基板２０，２１，２２，２３と厚さ方向に互いに交差して束ねた状態で折り曲げ、先端をフレキ挿通用貫通孔３ｃに挿入し、表示パネル用電子回路基板に接続する。【選択図】図１
2012165052.tif 000002
【特許請求の範囲】
【請求項１】
表示装置を有する携帯端末において、
厚さ方向に多段に重ねられた複数の構成部材を有する表示パネルと、
上記表示パネルを制御する表示パネル用電子回路基板と、
一方側に上記表示パネルを収容するパネル収容凹部を有すると共に、該パネル収容凹部の反対側に上記表示パネル用電子回路基板を収容する表示装置用キャビネットと、
上記表示パネルの各構成部材からそれぞれ延びる複数のフレキシブル基板と、
上記表示装置用キャビネットに形成され、上記複数のフレキシブル基板が表面側から押さえられて折り曲げられた状態で、該複数のフレキシブル基板の先端が挿入されるフレキ挿通用貫通孔とを備え、
上記複数のフレキシブル基板は、それぞれフィルム状の絶縁体の表面に導体が貼り付けられて形成され、各フレキシブル基板は、少なくとも１つの他のフレキシブル基板と厚さ方向に互いに交差して束ねられ、該束ねられた状態で折り曲げられて先端が上記フレキ挿通用貫通孔に挿入された後、上記表示パネル用電子回路基板に接続されるように構成されている
ことを特徴とする表示装置を有する携帯端末。
【請求項２】
請求項１に記載の表示装置を有する携帯端末において、
上記複数のフレキシブル基板のうち少なくとも１つのフレキシブル基板は、上記導体が接着された部分から延長して交差部が形成されると共に、該交差部と上記導体が接着された部分との間に切欠部が形成され、該交差部が該切欠部を通過する他のフレキシブル基板と厚さ方向に互いに交差して束ねられるように構成されている
ことを特徴とする表示装置を有する携帯端末。
【請求項３】
請求項２に記載の表示装置を有する携帯端末において、
上記複数のフレキシブル基板は、折り曲げられる前の状態で、それぞれ矩形板状の表示パネルの上方から互いに平行に延びる上下伸長部と、該上下伸長部に連続し、左右いずれか同じ方向に直角に延びる左右伸長部とを備え、
上記上下伸長部が折り曲げられて上記左右伸長部の先端が上記フレキ挿通用貫通孔に挿入されるように構成され、
上記交差部又は切欠部は、上記上下伸長部に設けられている
ことを特徴とする表示装置を有する携帯端末。
【請求項４】
請求項１乃至３のいずれか１つに記載の表示装置を有する携帯端末において、
上記表示パネルは、３次元画像が表示可能な液晶パネルであり、
上記複数のフレキシブル基板は、
タッチパネル用フレキシブル基板と、
スイッチ液晶用フレキシブル基板と、
液晶パネル制御用フレキシブル基板と、
バックライト用フレキシブル基板とからなる
ことを特徴とする表示装置を有する携帯端末。
【請求項５】
請求項１乃至３のいずれか１つに記載の表示装置を有する携帯端末において、
上記表示パネルは、３次元画像が表示可能な有機ＥＬ液晶パネルであり、
上記複数のフレキシブル基板は、
タッチパネル用フレキシブル基板と、
スイッチ液晶用フレキシブル基板と、
液晶パネル制御用フレキシブル基板とからなる
ことを特徴とする表示装置を有する携帯端末。
【発明の詳細な説明】
【技術分野】
【０００１】
本発明は、携帯電話、スマートフォンなどの表示装置を有する携帯端末に関するものである。
【背景技術】
【０００２】
従来より、画面を見ながら各種操作を行う液晶表示装置や有機ＥＬ液晶表示装置を有する携帯端末は知られている。
【０００３】
この種の携帯端末として、例えば、特許文献１の折畳式携帯電子機器は、液晶ホルダを介して液晶表示器を固定して保持するために、一方の筐体内部に設けたユニット基板と、一方の筐体内部において各種電子部品を各ホルダを介して着脱可能に取り付けユニット基板に積層状態で保持させる実装部と、液晶表示器を含む各種電子部品と少なくともバッテリ又は制御部との間をそれぞれ電気的に接続するために一方の筐体内部の実装部から引出されヒンジ部内部を介して他方の筐体内部に亙って設けられバッテリ又は制御部と接続される接続部とを有するフレキシブル基板とを備えたものが知られている。このフレキシブル基板は、折り曲げられて反対側のユニット基板に接続されている。
【０００４】
そして、例えば、特許文献２のような、外部回路の電極に接続される電極接続部から離間する離間方向に延在する第１基板部と、第１基板部から、この第１基板部の延在方向と交差する方向に突出して連設される連設部と、連設部から、離間方向に沿って延出されてなり、折り返し線で折り返されて、第１基板部の側方で、この第１基板部と並ぶ位置に配置される第２基板部とを有し、第１基板部において離間方向に沿って延在する両側辺部のうち第２基板部側に近い一側辺部と、第２基板部において離間方向に沿って延在する両側辺部のうち第１基板部側に近い一側辺部とには、折り返し線から同じ間隔離れた部位に、互いに掛合自在な掛止部と被掛止部とがそれぞれ突設されているフレキシブル基板が知られている。このフレキシブル基板では、第２基板部を折り返して、掛止部と被係止部とを掛止させることによって、折り曲げられた第２基板を、第１基板部の側方で、この第１基板部と並ぶ位置で保持できるようにしている。
【先行技術文献】
【特許文献】
【０００５】
【特許文献１】特開２００４−１５９１７３号公報
【特許文献２】特開２００８−１８６９５４号公報
【発明の概要】
【発明が解決しようとする課題】
【０００６】
ところで、近年の液晶表示部を有する携帯端末の多くは、タッチパネルを備え、操作ボタンを操作しなくても画面に直接触れて操作可能となっている。さらには、３次元画像を表示可能なものも知られている。
【０００７】
このように多くの機能を備えた表示パネルは、厚さ方向に多段に重ねられた複数の構成部材を有し、各構成部材からはそれぞれフレキシブル基板が延びるので、これらのフレキシブル基板の取り扱いが非常に困難となってきている。
【０００８】
特許文献２では、フレキシブル基板を折り曲げて鉤状の掛止部と被掛止部とを掛かり止めし、折り曲げられたまま保持することはできるものの、複数のフレキシブル基板が厚さ方向に重なり合うような場合には、掛かり止め作業が極めて繁雑になる。しかも、この特許文献２の構成では、同一のフレキシブル基板同士を掛かり止めするものであり、複数のフレキシブル基板は互いに束ねられないので、表示装置用キャビネットに設けた貫通孔を通して反対側の電子回路基板に接続させるときには全てのフレキシブル基板を指で押さえ込まなければならず、面倒という問題がある。
【０００９】
本発明は、かかる点に鑑みてなされたものであり、その目的とするところは、厚さ方向に重ね合わされた複数のフレキシブル基板の先端を容易に貫通孔を通過させて表示パネル用電子回路基板に接続できるようにすることにある。
【課題を解決するための手段】
【００１０】
上記の目的を達成するために、この発明では、各フレキシブル基板を少なくとも１つの他のフレキシブル基板と厚さ方向に互いに交差して束ねた状態で折り曲げてフレキ挿通用貫通孔に挿入するようにした。
【００１１】
具体的には、第１の発明では、表示装置を有する携帯端末を前提とし、
上記携帯端末は、
厚さ方向に多段に重ねられた複数の構成部材を有する表示パネルと、
上記表示パネルを制御する表示パネル用電子回路基板と、
一方側に上記表示パネルを収容するパネル収容凹部を有すると共に、該パネル収容凹部の反対側に上記表示パネル用電子回路基板を収容する表示装置用キャビネットと、
上記表示パネルの各構成部材からそれぞれ延びる複数のフレキシブル基板と、
上記表示装置用キャビネットに形成され、上記複数のフレキシブル基板が表面側から押さえられて折り曲げられた状態で、該複数のフレキシブル基板の先端が挿入されるフレキ挿通用貫通孔とを備えている。
【００１２】
そして、上記複数のフレキシブル基板は、それぞれフィルム状の絶縁体の表面に導体が貼り付けられて形成され、各フレキシブル基板は、少なくとも１つの他のフレキシブル基板と厚さ方向に互いに交差して束ねられ、該束ねられた状態で折り曲げられて先端が上記フレキ挿通用貫通孔に挿入された後、上記表示パネル用電子回路基板に接続されるように構成されている。
【００１３】
上記の構成によると、複数のフレキシブル基板のそれぞれが少なくとも１つの他のフレキシブル基板と厚さ方向に互いに交差して束ねられ、この束ねられた状態で表面側から押さえられて折り曲げられるので、その先端を表示装置用キャビネットに設けたフレキ挿通用貫通孔に通す際に一部のフレキシブル基板を押さえれば、全てのフレキシブル基板がばらけずに、その先端を通しやすくなる。このため、表示パネル用電子回路基板への接続作業が極めて容易となる。
【００１４】
第２の発明では、第１の発明において、
上記複数のフレキシブル基板のうち少なくとも１つのフレキシブル基板は、上記導体が接着された部分から延長して交差部が形成されると共に、該交差部と上記導体が接着された部分との間に切欠部が形成され、該交差部が該切欠部を通過する他のフレキシブル基板と厚さ方向に互いに交差して束ねられるように構成されている。
【００１５】
上記の構成によると、切欠部を通った他のフレキシブル基板を交差部及びその周辺でしっかりと抑えることができるので、全てのフレキシブル基板を押さえなくても、一部のフレキシブル基板を表面側から押さえれば、全てのフレキシブル基板を折り曲げた状態に保つことができるので、接続作業が容易である。
【００１６】
第３の発明では、第２の発明において、
上記複数のフレキシブル基板は、折り曲げられる前の状態で、それぞれ矩形板状の表示パネルの上方から互いに平行に延びる上下伸長部と、この上下伸長部に連続し、左右いずれか同じ方向に直角に延びる左右伸長部とを備え、
上記上下伸長部が折り曲げられて上記左右伸長部の先端が上記フレキ挿通用貫通孔に挿入されるように構成され、
上記交差部又は切欠部は、上記上下伸長部に設けられている。
【００１７】
すなわち、携帯端末を手に持って使用する場合、通常は矩形板状の携帯端末を縦長に持つため、左右の幅が大きくなると持ちにくくなるが、上記の構成によると、複数のフレキシブル基板を表示パネルの上方から延ばしているので、これらのフレキシブル基板を折り曲げた部分を収容する領域が表示パネルの上方に設けられても、左右の幅が大きくならない。また、複数のフレキシブル基板のうち、一部のフレキシブル基板の上下伸長部を押さえれば、全てのフレキシブル基板を折り曲げた状態に保つことができ、この状態で先端をフレキ挿通用貫通孔に挿入して表示パネル用電子回路基板に接続することができるので、複数のフレキシブル基板の接続作業が極めて容易になる。
【００１８】
第４の発明では、第１乃至第３のいずれか１つの発明において、
上記表示パネルは、３次元画像が表示可能な液晶パネルであり、
上記複数のフレキシブル基板は、
タッチパネル用フレキシブル基板と、
スイッチ液晶用フレキシブル基板と、
液晶パネル制御用フレキシブル基板と、
バックライト用フレキシブル基板とからなる。
【００１９】
上記の構成によると、タッチパネルとスイッチ液晶を設けるために従来よりもフレキシブル基板の枚数が増えてしまうが、本発明により４枚のフレキシブル基板を容易に束ねることができるので、その取り扱いが簡単である。
【００２０】
第５の発明では、第１乃至第３のいずれか１つの発明において、
上記表示パネルは、３次元画像が表示可能な有機ＥＬ液晶パネルであり、
上記複数のフレキシブル基板は、
タッチパネル用フレキシブル基板と、
スイッチ液晶用フレキシブル基板と、
液晶パネル制御用フレキシブル基板とからなる。
【００２１】
上記の構成によると、有機ＥＬ液晶であるので、バックライトは必要ないが、依然として３枚のフレキシブル基板を束ねる必要がある。しかし、本発明により３枚のフレキシブル基板を容易に束ねることができるので、その取り扱いが簡単である。
【発明の効果】
【００２２】
以上説明したように、本発明によれば、複数のフレキシブル基板をそれぞれ少なくとも１つの他のフレキシブル基板と厚さ方向に互いに交差して束ねた状態で折り曲げてフレキ挿通用貫通孔に挿入するようにしたことにより、厚さ方向に重ね合わされた複数のフレキシブル基板の先端を容易に貫通孔を通過させて表示パネル用電子回路基板に接続することができるので組立性を格段に向上させることができる。
【図面の簡単な説明】
【００２３】
【図１】液晶パネルにおける複数のフレキシブル基板及びその周辺を拡大して示す正面図である。
【図２】携帯電話機を正面側から見た斜視図である。
【図３】携帯電話機を背面側から見た斜視図である。
【図４】表示装置の分解斜視図である。
【図５】表示パネルを背面側から見た斜視図であり、（ａ）が複数のフレキシブル基板を折り曲げる前の状態を示し、（ｂ）が複数のフレキシブル基板を折り曲げた状態を示す。
【図６】複数のフレキシブル基板を折り曲げる前の表示パネルを拡大して示す正面図である。
【図７】表示装置の構成の概要を拡大して示す断面図である。
【図８】タッチパネル用フレキシブル基板を拡大して示す正面図である。
【図９】スイッチ液晶用フレキシブル基板を拡大して示す正面図である。
【図１０】液晶パネル制御用フレキシブル基板を拡大して示す正面図である。
【図１１】バックライト用フレキシブル基板を拡大して示す正面図である。
【発明を実施するための形態】
【００２４】
以下、本発明の実施形態を図面に基づいて説明する。
【００２５】
図２及び図３は、本発明の実施形態の表示装置（液晶ディスプレイ）を有する携帯端末としての携帯電話機１を示し、この携帯電話機１は全体として縦長の矩形板状であり、表面側に表示パネル２を備えている。
【００２６】
図４に示すように、この表示パネル２は、表示装置用キャビネット３のパネル収容凹部４に収容されている。表示装置用キャビネット３は、矩形枠状の樹脂側壁３ａと、この樹脂側壁３ａにインサート成形されたステンレス鋼板などの板金３ｂとを備えている。この板金３ｂの右辺側には、縦長スリット状のフレキ挿通用貫通孔３ｃが貫通形成されている。
【００２７】
図３に示すように、表示装置用キャビネット３の背面側は、裏側カバー５で覆われ、上側には、カメラ部６が設けられている。
【００２８】
図４に示すように、表示パネル２は、略矩形枠状の両面テープ７によってパネル収容凹部４に接着されている。そして、図５〜図７に示すように、表示パネル２は、厚さ方向に多段に重ねられた複数の構成部材を有する。具体的には、表示パネル２は、３次元画像が表示可能な液晶パネルであり、複数の構成部材は、例えば図７にその断面を簡略化して示すように、表面側から飛散防止フィルム９、液晶窓ガラス１０、タッチパネル用両面テープ１１、タッチパネル１２、正面側スイッチガラス１３、背面側スイッチガラス１４、カラーフィルタガラス基板１５、アレイガラス基板１６、バックライトユニット１７とを備えている。そして、タッチパネル１２からはタッチパネル用フレキシブル基板２０が、背面側スイッチガラス１４からはスイッチ液晶用フレキシブル基板２１が、アレイガラス基板１６からは液晶パネル制御用フレキシブル基板２２が、バックライトユニット１７からはバックライト用フレキシブル基板２３が、それぞれ延びている。
【００２９】
図８〜図１１にそれぞれ拡大して示すように、複数のフレキシブル基板２０，２１，２２，２３は、先端にコネクタ部２０ａ，２１ａ，２２ａ，２３ａをそれぞれ備え、フィルム状の絶縁体２５の表面に導体２６（同図に破線で示す）が貼り付けられて形成されている。一方、図７に示すように、パネル収容凹部４の反対側（板金３ｂの背面側）には、表示パネル２を制御する表示パネル用電子回路基板２９が設けられ、この表示パネル用電子回路基板２９に上記コネクタ部２０ａ，２１ａ，２２ａ，２３ａが接続されるようになっている。
【００３０】
そして、複数のフレキシブル基板２０，２１，２２，２３は、それぞれ少なくとも１つの他のフレキシブル基板２０，２１，２２，２３と厚さ方向に互いに交差して束ねられ、この束ねられた状態で折り曲げられてフレキ挿通用貫通孔３ｃに挿入されるように構成されている。
【００３１】
具体的には、図１及び図５（ａ）にも示すように、複数のフレキシブル基板２０，２１，２２，２３は、折り曲げられる前の状態で、それぞれ矩形板状の正面から見て携帯電話機１の上方から互いに平行に延びる上下伸長部２０ｂ，２１ｂ，２２ｂ，２３ｂと、この上下伸長部２０ｂ，２１ｂ，２２ｂ，２３ｂに連続し、右側に直角に曲がって延びる左右伸長部２０ｃ，２１ｃ，２２ｃ，２３ｃとを備えている。図５（ｂ）にも示すように、これら上下伸長部２０ｂ，２１ｂ，２２ｂ，２３ｂが表面側から押さえ付けられて折り曲げられ、左右伸長部２０ｃ，２１ｃ，２２ｃ，２３ｃの先端がフレキ挿通用貫通孔３ｃに挿入されるように構成されている。
【００３２】
例えば、図８に示すように、タッチパネル用フレキシブル基板２０の上下伸長部２０ｂには、導体２６が接着された絶縁体２５の部分から右側へ絶縁体２５が延長して交差部２０ｄが形成されている。この交差部２０ｄと、左右伸長部２０ｃとの隅角部には、切欠部２０ｅが形成されている。
【００３３】
同様に、図１０に示すように、液晶パネル制御用フレキシブル基板２２の上下伸長部２２ｂには、導体２６が接着された絶縁体２５の部分から左側へ絶縁体２５が延長して交差部２２ｄが形成されている。交差部２２ｄは、左側へ膨出した部分と、上方へ膨出した部分とからなり、上方へ膨出した交差部２２ｄと、上下伸長部２２ｂとの間には、切欠部２２ｅが形成されている。
【００３４】
また、図１１に示すように、バックライト用フレキシブル基板２３の上下伸長部２３ｂは、左方に一度折り曲げられてから再び上方へ延びる折曲部２３ｄを有している。
【００３５】
このように構成することで、図１に示すように、タッチパネル用フレキシブル基板２０の交差部２０ｄの背面側にバックライト用フレキシブル基板２３の折曲部２３ｄが配置され、上下伸長部２３ｂが切欠部２０ｅに挿通されて表面側に露出している。このことで、タッチパネル用フレキシブル基板２０の上下伸長部２０ｂの領域Ａの部分を表面側から押さえれば、交差部２０ｄによってバックライト用フレキシブル基板２３が同時に押さえられるようになっている。
【００３６】
同様に、スイッチ液晶用フレキシブル基板２１の上下伸長部２１ｂの背面に液晶パネル制御用フレキシブル基板２２の下側の交差部２２ｄが位置し、スイッチ液晶用フレキシブル基板２１の左右伸長部２１ｃが上方の交差部２２ｄの背面側を通り、その後、切欠部２２ｅを通って表面側へ露出している。このことで、上下伸長部２１ｂ、交差部２２ｄ、切欠部２２ｅによってスイッチ液晶用フレキシブル基板２１と液晶パネル制御用フレキシブル基板２２とが厚さ方向に重ね合わされ、スイッチ液晶用フレキシブル基板２１の上下伸長部２１ｂの領域Ａの部分を表面側から押さえれば、同時に液晶パネル制御用フレキシブル基板２２が押さえられるようになっている。
【００３７】
−液晶パネルの組み付け手順−
次に、表示パネル２の組み付け手順について説明する。
【００３８】
まず、図６及び図７の状態に複数の構成部材が積層された表示パネル２を用意する。
【００３９】
次いで、図５に示すように、複数のフレキシブル基板２０，２１，２２，２３を折り曲げる。
【００４０】
そのために図１に示すように、タッチパネル用フレキシブル基板２０の交差部２０ｄの背面側にバックライト用フレキシブル基板２３の折曲部２３ｄを配置した状態で、そこから延びる上下伸長部２３ｂを切欠部２０ｅに挿通し、その左右伸長部２３ｃをタッチパネル用フレキシブル基板２０の表面側へ露出させる。
【００４１】
次いで、スイッチ液晶用フレキシブル基板２１の上下伸長部２１ｂの背面に液晶パネル制御用フレキシブル基板２２の下側の交差部２２ｄを配置した状態で、スイッチ液晶用フレキシブル基板２１の左右伸長部２１ｃを上方の交差部２２ｄの背面側へ通し、さらに、切欠部２２ｅを通して表面側へ露出させ、この左右伸長部２１ｃを液晶パネル制御用フレキシブル基板２２及びタッチパネル用フレキシブル基板２０の表面側へ配置する。
【００４２】
このようにすることで、複数のフレキシブル基板２０，２１，２２，２３は、それぞれ厚さ方向に互いに交差して束ねられる。
【００４３】
次いで、図１及び図５（ｂ）の領域Ａ（タッチパネル用フレキシブル基板２０及びスイッチ液晶用フレキシブル基板２１の上下伸長部２０ｂ，２１ｂの一部）を一方の手の指で押さえれば、全てのフレキシブル基板２０，２１，２２，２３が一度に押さえられる。
【００４４】
このようにして折り曲げ状態を保っておけば、他方の手で各左右伸長部２０ｃ，２１ｃ，２２ｃ，２３ｃを折り曲げてその先端のコネクタ部２０ａ，２１ａ，２２ａ，２３ａをフレキ挿通用貫通孔３ｃに容易に挿通させることができる（図４参照）。
【００４５】
次いで、フレキ挿通用貫通孔３ｃを通過した各コネクタ部２０ａ，２１ａ，２２ａ，２３ａを表示パネル用電子回路基板２９に接続する。なお、タッチパネル用フレキシブル基板２０のコネクタ部２０ａには、ＩＣチップ等が配置されて厚みがあるためフレキ挿通用貫通孔３ｃを通しにくいような場合には、このＩＣチップの表面側に液晶用フレキシブル基板２１のコネクタ部２０ａを両面テープで接着するようにしてもよい。このようにすれば、厚さのあるタッチパネル用フレキシブル基板２０でも挿入作業が更に容易となる。
【００４６】
このようにして組み立てられた携帯電話機１は、画面を大きく保ちながらも幅が手に持ちやすい幅に抑えられている。なぜなら、複数のフレキシブル基板２０，２１，２２，２３は、表示パネル２の上方から延びているので、これらのフレキシブル基板２０，２１，２２，２３を受話部などの必須のスペースの近傍に配置することで、左右の幅を広げる必要がないためである。
【００４７】
以上説明したように、本実施形態にかかる表示装置を有する携帯電話機１によると、複数のフレキシブル基板２０，２１，２２，２３をそれぞれ少なくとも１つの他のフレキシブル基板０，２１，２２，２３と厚さ方向に互いに交差して束ねた状態で折り曲げてフレキ挿通用貫通孔３ｃに挿入するようにしたことにより、厚さ方向に重ね合わされた複数のフレキシブル基板２０，２１，２２，２３の先端を容易にフレキ挿通用貫通孔３ｃを通過させて表示パネル用電子回路基板２９に接続することができるので、組立性を格段に向上させることができる。
【００４８】
（その他の実施形態）
本発明は、上記実施形態について、以下のような構成としてもよい。
【００４９】
すなわち、上記実施形態では、複数のフレキシブル基板２０，２１，２２，２３の具体的な形状を例示したが、交差部、切欠部等の形状はこれに限定されない。要は、表面側のフレキシブル基板を押さえれば、背面側のフレキシブル基板を同時に折り曲げた状態で保持できるように、交差部、切欠部等を配置すればよい。
【００５０】
上記実施形態では、表示パネル２は、液晶パネルとしたが、３次元画像が表示可能な有機ＥＬ液晶パネルとしてもよい。この場合、複数のフレキシブル基板は、タッチパネル用フレキシブル基板と、スイッチ液晶用フレキシブル基板と、液晶パネル制御用フレキシブル基板とからなる。つまり、有機ＥＬ液晶であるので、バックライトは必要ないが、依然として３枚のフレキシブル基板を束ねる必要があるが、同様のやり方で３枚のフレキシブル基板を束ねることができるので、その取り扱いが容易である。
【００５１】
なお、以上の実施形態は、本質的に好ましい例示であって、本発明、その適用物や用途の範囲を制限することを意図するものではない。
【産業上の利用可能性】
【００５２】
以上説明したように、本発明は、液晶ディスプレイ、有機ＥＬディスプレイなどの表示装置を有する携帯電話機等の携帯端末について有用である。
【符号の説明】
【００５３】
１      携帯電話機（携帯端末）
２      表示パネル
３      表示装置用キャビネット
３ｃ    フレキ挿通用貫通孔
４      パネル収容凹部
１２      タッチパネル（構成部材）
１３      正面側スイッチガラス（構成部材）
１４      背面側スイッチガラス（構成部材）
１５      カラーフィルタガラス基板（構成部材）
１６      アレイガラス基板（構成部材）
１７      バックライトユニット（構成部材）
２０，２１，２２，２３      フレキシブル基板
２０ａ，２１ａ，２２ａ，２３ａ    コネクタ部（先端）
２０ｂ，２１ｂ，２２ｂ，２３ｂ    上下伸長部
２０ｃ，２１ｃ，２２ｃ，２３ｃ    左右伸長部
２０ｄ，２２ｄ    交差部
２０ｅ，２２ｅ    切欠部
２５      絶縁体
２６      導体
２９      表示パネル用電子回路基板
【図１】
2012165052.tif 000003
【図２】
2012165052.tif 000004
【図３】
2012165052.tif 000005
【図４】
2012165052.tif 000006
【図５】
2012165052.tif 000007
【図６】
2012165052.tif 000008
【図７】
2012165052.tif 000009
【図８】
2012165052.tif 000010
【図９】
2012165052.tif 000011
【図１０】
2012165052.tif 000012
【図１１】
2012165052.tif 000013